(57)【特許請求の範囲】
【請求項１】
排気ダクトとレンジフードの排気口を接続するレンジフード排気口調整装置であって、
前記排気口調整装置は、角形排気口部材と受け部材を有し、
前記受け部材は、角形の開口部を有した平板であり、
前記角形排気口部材は、角形排気筒と前記角形排気筒の一端にフランジ部を備え、
前記角形排気筒の縦外径は、前記開口部の縦内径より小さく、
前記角形排気筒の横外径は、前記開口部の横内径と略等しく、
前記フランジ部の上辺部と下辺部における前記フランジ部の巾は、前記開口部の縦内径と前記角形排気筒の縦外径の差より大きく、
前記受け部材は、前記レンジフードの側面に取り付けられ、
前記角形排気口部材は、前記角形排気筒が前記受け部材の前記開口部にスライド可能に嵌合し取り付けられ、
前記受け部材は、さらに２以上の突起部を有し、
前記フランジ部は、前記突起部が嵌合する短径を有する長孔を有し、
前記長孔の長径は、前記開口部の縦内径と前記角形排気筒の縦外径の差に略等しくまたはより大きく、
前記長孔の長径方向は、前記角形排気筒が前記開口部の中を前記角形排気筒の縦外径が前記開口部の縦内径より小さいことにより移動する方向と略同じである、
ことを特徴とするレンジフード排気口調整装置。
【請求項２】
前記受け部材は、前記レンジフードの側面の外側から前記レンジフードに当接し取り付けられ、
前記角形排気口部材は、前記突起部が前記レンジフードの側面を介して前記長孔に嵌合し、前記レンジフードの側面の内側から取り付けられる、
ことを特徴とする請求項１に記載のレンジフード排気口調整装置。
【請求項３】
排気ダクトとレンジフードの排気口を接続するレンジフード排気口調整装置であって、
前記排気口調整装置は、角形排気口部材と受け部材を有し、
前記受け部材は、角形の開口部を有した平板であり、
前記角形排気口部材は、角形排気筒と前記角形排気筒の一端にフランジ部を備え、
前記角形排気筒の縦外径は、前記開口部の縦内径より小さく、
前記角形排気筒の横外径は、前記開口部の横内径と略等しく、
前記フランジ部の上辺部と下辺部における前記フランジ部の巾は、前記開口部の縦内径と前記角形排気筒の縦外径の差より大きく、
前記受け部材は、前記レンジフードの側面に取り付けられ、
前記角形排気口部材は、前記角形排気筒が前記受け部材の前記開口部にスライド可能に嵌合し取り付けられ、
前記受け部材は、さらに２以上の突起部を有し、
前記フランジ部は、前記突起部が嵌合する短径を有する長孔を有し、
前記長孔の長径方向は、前記角形排気筒が前記開口部の中を前記角形排気筒の縦外径が前記開口部の縦内径より小さいことにより移動する方向と略同じであり、
前記受け部材は、前記レンジフードの側面の外側から前記レンジフードに当接し取り付けられ、
前記角形排気口部材は、前記突起部が前記レンジフードの側面を介して前記長孔に嵌合し、前記レンジフードの側面の内側から取り付けられる、
ことを特徴とするレンジフード排気口調整装置。
【請求項４】
前記長孔の長径は、前記開口部の縦内径と前記角形排気筒の縦外径の差に略等しくまたはより大きい、
ことを特徴とする請求項３に記載のレンジフード排気口調整装置。
【請求項５】
請求項１乃至４に記載のレンジフード排気口調整装置を備えるレンジフード。
【発明の詳細な説明】
【技術分野】
【０００１】
本発明は、レンジフード排気口調整装置およびそのレンジフード排気口調整装置を備えたレンジフードに関する。
【背景技術】
【０００２】
近年、キッチンに設置されているレンジフードを交換するリフォームが増えてきている。既設のレンジフードを交換する場合、既設のレンジフードを取り外した後に、新しいレンジフードを設置する。この際、調理により発生した油煙や臭気等を屋外へと排気するためにレンジフードの排気口と排気ダクトとの配管接続が必要となる。しかし、レンジフードは機種毎に排気口の位置が異なるため、既設のレンジフードが接続されていた排気ダクトにそのまま接続することはできないので、住宅側の排気ダクト位置を変更するために排気ダクトを配管し直し、キッチンの壁もしくは天井の張り替えが必要になるなどの作業が必要であった。
【０００３】
また、フード内部に送風機を備える平型レンジフードと呼ばれるタイプのレンジフードの場合には、排気口の位置がフード左側、右側または後方の側面のいずれかになることが多い。したがって、既設のレンジフードがこの平型レンジフードである場合には、交換されて取り付けられる新しいレンジフードの左側、右側または後方の側面のいずれかに既設の排気ダクトが位置している場合がほとんどである。そして、右側面、左側面のいずれかに排気ダクトが位置している場合には、排気ダクトが位置している側はキッチンの壁であり、レンジフードを挟んで反対側にはキッチンキャビネットが配置されていることが多く、新しいレンジフードの側面に排気口を突出させた状態では取り付けが不可能であった。
【発明の概要】
【発明が解決しようとする課題】
【０００４】
そこで、本発明は、上記事情に鑑みてなされたものであり、本発明の目的とするところは、レンジフードを取り付ける際、レンジフードの排気口と排気ダクトとの位置の調整を容易に行うことができ、レンジフードの排気口と排気ダクトとを接続することができるレンジフード排気口調整装置およびそのレンジフード排気口調整装置を備えたレンジフードを提供することにある。
【課題を解決するための手段】
【０００５】
上記課題を解決するために、排気ダクトとレンジフードの排気口を接続するレンジフード排気口調整装置であって、その排気口調整装置は、角形排気口部材と受け部材を有し、その受け部材は、角形の開口部を有した平板であり、その角形排気口部材は、角形排気筒とその角形排気筒の一端にフランジ部を備え、その角形排気筒の縦外径は、その開口部の縦内径より小さく、その角形排気筒の横外径は、その開口部の横内径と略等しく、そのフランジ部の上辺部と下辺部におけるそのフランジ部の巾は、その開口部の縦内径とその角形排気筒の縦外径の差より大きく、その受け部材は、そのレンジフードの側面に取り付けられ、その角形排気口部材は、その角形排気筒がその受け部材のその開口部にスライド可能に嵌合し取り付けられ、その受け部材は、さらに２以上の突起部を有し、フランジ部は、突起部が嵌合する短径を有する長孔を有し、その長孔の長径は、開口部の縦内径と角形排気筒の縦外径の差にほぼ等しくまたはより大きく、その長孔の長径方向は、角形排気筒が開口部の中を角形排気筒の縦外径が開口部の縦内径より小さいことにより移動する方向とほぼ同じであることを特徴とするレンジフード排気口調整装置が提供される。
これによれば、レンジフードを取り付ける際、レンジフードの排気口と排気ダクトとの位置の調整を容易に行うことができ、レンジフードの排気口と排気ダクトとを接続することができ、さらに受け部材に対して角形排気口部材の位置をより容易に調整することができ、調整後確実に固定することができるレンジフード排気口調整装置を提供できる。
【０００６】
さらに、その受け部材は、そのレンジフードの側面の外側からそのレンジフードに当接し取り付けられ、その角形排気口部材は、その突起部がそのレンジフードの側面を介してその長孔に嵌合し、そのレンジフードの側面の内側から取り付けられることを特徴としてもよい。
これによれば、受け部材と角形排気口部材とがレンジフード側面の部材を両側から挟み込むことにより、レンジフードの側面に受け部材と角形排気口部材を確実に取り付けることができる。
【０００７】
また、上記課題を解決するために、排気ダクトとレンジフードの排気口を接続するレンジフード排気口調整装置であって、その排気口調整装置は、角形排気口部材と受け部材を有し、その受け部材は、角形の開口部を有した平板であり、その角形排気口部材は、角形排気筒とその角形排気筒の一端にフランジ部を備え、その角形排気筒の縦外径は、その開口部の縦内径より小さく、その角形排気筒の横外径は、その開口部の横内径と略等しく、そのフランジ部の上辺部と下辺部におけるそのフランジ部の巾は、その開口部の縦内径とその角形排気筒の縦外径の差より大きく、その受け部材は、そのレンジフードの側面に取り付けられ、その角形排気口部材は、その角形排気筒がその受け部材のその開口部にスライド可能に嵌合し取り付けられ、その受け部材は、さらに２以上の突起部を有し、フランジ部は、突起部が嵌合する短径を有する長孔を有し、その長孔の長径方向は、角形排気筒が開口部の中を角形排気筒の縦外径が開口部の縦内径より小さいことにより移動する方向とほぼ同じであり、その受け部材は、レンジフードの側面の外側からレンジフードに当接し取り付けられ、角形排気口部材は、突起部がレンジフードの側面を介して長孔に嵌合し、レンジフードの側面の内側から取り付けられることを特徴とするレンジフード排気口調整装置が提供される。
これによれば、レンジフードを取り付ける際、レンジフードの排気口と排気ダクトとの位置の調整を容易に行うことができ、レンジフードの排気口と排気ダクトとを接続することができ、さらに受け部材に対して角形排気口部材の位置をより容易に調整することができ、調整後確実に固定することができるレンジフード排気口調整装置を提供できる。
【０００８】
また、上記課題を解決するために、上記のレンジフード排気口調整装置を備えるレンジフードが提供される。
これによれば、レンジフードを取り付ける際、レンジフードの排気口と排気ダクトとの位置の調整を容易に行うことができるレンジフードを提供することができ、また、住宅側の排気ダクト位置の変更や、キッチンの壁・天井の張り替えが不要となり、さらには、レンジフードの右側面または左側面に排気ダクトが位置している場合でも、容易に取り付けることのできるレンジフードを提供することができる。
【発明の効果】
【０００９】
以上説明したように、本発明によれば、レンジフードを取り付ける際、レンジフードの排気口と排気ダクトとの位置の調整を容易に行うことができ、レンジフードの排気口と排気ダクトとを接続することができるレンジフード排気口調整装置およびそのレンジフード排気口調整装置を備えたレンジフードを提供することができる。
【図面の簡単な説明】
【００１０】
【図１】本発明に係る実施例における受け部材を示す（Ａ）正面図、（Ｂ）背面図、（Ｃ）平面図、（Ｄ）底面図、（Ｅ）側面図。
【図２】本発明に係る実施例における角形排気口部材を示す（Ａ）正面図、（Ｂ）背面図、（Ｃ）平面図、（Ｄ）底面図、（Ｅ）側面図。
【図３】本発明に係る実施例における排気口調整装置を示す（Ａ）正面図、（Ｂ）背面図、（Ｃ）平面図、（Ｄ）底面図、（Ｅ）側面図、（Ｆ）Ｆ−Ｆ断面における断面図。
【図４】本発明に係る実施例におけるレンジフードの分解斜視図。
【図５】本発明に係る実施例におけるレンジフードの斜視図。
【図６】レンジフードの取付状況を示す説明図。（Ａ）レンジフードの交換前の状況を示す説明図、（Ｂ）レンジフードの側面に排気口を突出させた状態では取り付けが不可能であることを示す説明図、（Ｃ）交換後のレンジフードの排気口と排気ダクトの高さが適合しない場合を示す説明図、（Ｄ）交換後のレンジフードの排気口と排気ダクトの高さが適合した場合を示す説明図。
【発明を実施するための形態】
【００１１】
以下では、図面を参照しながら、本発明に係る各実施例について説明する。
＜実施例＞
図１は、本発明に係る実施例における受け部材２０を示す六面図（側面は右側面図のみ）である。
【００１２】
受け部材２０は、角形の開口部２１を有した平板２３であり、加工後の板厚が０．５ｍｍの鉄板をプレス加工により開口部２１と外形を打ち抜くことにより作製される。開口部２１を打ち抜く際、開口部２１の左側と右側において折曲部２４の部分を残して打ち抜く。残された折曲部２４は、レンジフードの排気口に受け部材２０を取り付ける際、内径がレンジフードの側面の肉厚に等しくなるように、背面側に平板２３と対向するようになるまで折り曲げられ、レンジフードの側面を挟み込む。
【００１３】
折り曲げられた部分は、開口部２１の左右両辺を形成し、両者の距離、即ち、開口部２１の横内径はＷＩとして表わされる。従って、開口部２１の横内径ＷＩは、レンジフードの排気口の横径よりやや小さく、排気ダクトの横径よりも小さい。また、開口部２１の上下両辺の距離、即ち、開口部２１の縦内径はＨＩとして表わされる。開口部２１の縦内径ＨＩは、レンジフードの排気口の縦径および排気ダクトの縦径との大小は限定されないが、好ましくは、それらのいずれよりも小さい。
【００１４】
受け部材２０の外形は、四隅の角を落とした矩形であり、縦と横の長さは、開口部２１を維持できる強度を有する程度の巾があればよく、また、縦の長さは、レンジフードの側面の縦の長さより小さく、横の長さは、レンジフードの側面の横の長さより小さければよい。
【００１５】
受け部材２０は、さらに４つの突起部２２を受け部材２０の四隅近傍に有する。突起部２２の数と位置は、これに限定されないが、受け部材２０をレンジフードに取り付けかつ角形排気口部材１０（後述）を固定するためには、一般的にこの数と位置が好ましい。下側の２つの突起部２２は折曲部２４と重なる位置に、上側の２つの突起部２２は折曲部２４と重ならない位置にあるが、これに限定されない。
【００１６】
突起部２２は、折曲部２４を折り曲げた方向と同じ方向、即ち背面側に突起を有し、正面側には突起部を有さない。従って、折曲部２４が挟み込んだレンジフードの側面は、突起部２２に対応した位置に、突起部２２を挿入できる孔を有する。突起部２２は、典型的には、ネジの頭部を受け部材２０と一体化させ、ネジ先を背面側に向けた、雄ネジを備えた軸である。これにより、受け部材２０の正面側は、背面側にある突起部２２や折曲部２４などの凹凸は存在せず、平坦であり、レンジフードの取り付けの際障害となる物が無く取り付けやすく、またキッチンの壁などを傷つけるようなことがない。
【００１７】
図２は、本発明に係る実施例における角形排気口部材１０を示す六面図（側面は右側面図のみ）である。
角形排気口部材１０は、角形排気筒１１とその角形排気筒１１の一端にフランジ部１２を備える。角形排気口部材１０は、加工後の板厚が０．５ｍｍで中央付近に孔の空いた鉄板からプレス加工により角形の筒を形成した後筒の端部をトリミングすることで角形排気筒１１を形成し、また、角形排気筒１１以外の部分の周囲をトリミングしてフランジ部１２を形成することにより、作製される。しかし、これに限定されず、角形排気筒とフランジ部を別々に形成し、両者を溶接等により接続することにより、作製してもよい。
【００１８】
角形排気筒１１は、その縦外径としてＨＥと表わされ、またその横外径としてＷＥとして表わされる。角形排気筒１１の縦外径ＨＥは、受け部材２０の開口部２１の縦内径ＨＩより小さく、角形排気筒１１の横外径ＷＥは、受け部材２０の開口部２１の横内径ＷＩとほぼ等しい。ここで、ほぼ等しいとは、開口部２１の左右の辺と角形排気筒１１の左右の外周部とが、大きな隙間を形成することなく、縦方向にガタツキなく互いに摺動できる程度に軽く当接する関係を言う。従って、受け部材２０と角形排気口部材１０は、相対的に互いに横方向に動くことはほとんどなく、相対的に互いに縦方向に動く。即ち、角形排気口部材１０は、角形排気筒１１が受け部材２０の開口部２１にスライド可能に嵌合した状態で、受け部材２０に取り付けられる。これにより、レンジフードを取り付ける際、レンジフードの排気口と排気ダクトとの位置の調整を容易に行うことができる。
【００１９】
フランジ部１２からの角形排気筒１１の立ち上り高さは、角形排気筒１１が排気ダクトに嵌り排気が逆流することのない程度の高さを適宜備えればよい。一般的には、立ち上り高さは、５ｃｍ程度である。
【００２０】
フランジ部１２の上辺部１４と下辺部１５におけるフランジ部１２の巾は、開口部２１の縦内径ＨＩと角形排気筒１１の縦外径ＨＥの差より大きい。これにより、角形排気筒１１が、受け部材２０の開口部２１内を縦方向にスライドしても、角形排気筒１１以外の部分で、レンジフード内部と排気ダクトとが連通することがない。フランジ部１２の左辺部と右辺部は、後述の長孔１３を備え、取り付けるための強度を有するに十分な巾を備えればよい。
【００２１】
また、フランジ部１２は、受け部材２０の突起部２２が嵌合する短径を有する長孔１３を有する。長孔１３の長径は、開口部２１の縦内径ＨＩと角形排気筒１１の縦外径ＨＥの差にほぼ等しくまたは縦内径ＨＩと縦外径ＨＥの差より大きい。また、長孔１３の長径方向は、角形排気筒１１が開口部２１の中を角形排気筒１１の縦外径ＨＥが開口部２１の縦内径ＨＩより小さいことにより移動する方向とほぼ同じである。
【００２２】
これにより、角形排気筒１１が、受け部材２０の開口部２１内を縦方向にスライドする際に、突起部２２が長孔１３に嵌合した状態で同様に縦方向にスライドできる。即ち、そのスライド巾が長孔１３の長径と一致または長孔１３の長径の方が大きい、および、そのスライドの方向が長孔１３の長径方向と一致することにより、角形排気筒１１が開口部２１内をスライドすることを妨げることがない。その結果、受け部材２０に対して角形排気口部材１０の位置をより容易に調整することができる。
【００２３】
図３は、本発明に係る実施例における排気口調整装置１を示す六面図（側面は右側面図のみ）である。
排気口調整装置１は、住宅設備等の排気ダクトとレンジフードの排気口を接続するレンジフード排気口調整装置であって、角形排気口部材１０と受け部材２０を有する。角形排気口部材１０と受け部材２０のそれぞれは、上述した通りである。角形排気口部材１０の角形排気筒１１の縦外径ＨＥは受け部材２０の開口部２１の縦内径ＨＩより小さく、かつ、角形排気筒１１の横外径ＷＥは開口部２１の横内径ＷＩとほぼ等しいため、排気口調整装置１は、角形排気口部材１０の角形排気筒１１が受け部材２０の開口部２１にスライド可能に嵌合した状態で、レンジフードの側面に取り付けられる。これにより、レンジフードを取り付ける際、レンジフードの排気口と排気ダクトとの位置の調整を容易に行うことができ、レンジフードの排気口と排気ダクトとを接続することができるレンジフード排気口調整装置を提供することができる。
【００２４】
さらに、受け部材２０の４つの突起部２２は、フランジ部１２の突起部２２が嵌合する短径を有する長孔１３に長径方向にスライド可能に嵌合する。そして、長孔１３の長径は、開口部２１の縦内径と角形排気筒１１の縦外径の差にほぼ等しく、またはその差より大きい。また、長孔１３の長径方向は、角形排気筒１１が開口部２１の中を角形排気筒１１の縦外径が開口部２１の縦内径より小さいことにより移動する方向とほぼ同じである。また、突起部２２は雄ネジを備えた軸であるので、角形排気筒１１が開口部２１にスライド可能に嵌合し、かつ、突起部２２が長孔１３に嵌合した状態で、後述するように、雌ネジが突起部２２の軸先から挿入され締められる。これにより、受け部材２０に対して角形排気口部材１０の位置をより容易に調整することができ、調整後確実に固定することができるレンジフードの排気口調整装置１を提供することができる。
【００２５】
なお、受け部材に突起部が備えられなくともよい。その場合は、受け部材と角形排気口部材は、両者を位置合わせした後、受け部材の開口部の周辺部と角形排気口部材のフランジ部を接着剤や両面テープ等で固定してもよいし、受け部材にバーリング加工等により雌ねじ部を備えておき、ねじ止めにより固定してもよい。また、突起部はレンジフードの側面に内向きに突出するように備え、受け部材には突起部が挿通する貫通孔を備える構成としてもよい。その場合には、レンジフードの側面に内向きに突出している突起部を受け部材に備えられる貫通孔に挿通するように受け部材をレンジフードの内側から取り付ける。
また、突起部は角形排気口部材側に、長孔は受け部材側に備えられてもよい。その場合は、レンジフードの側面にも角形排気口部材の長孔に対応して同形同大の長孔を備える。
【００２６】
図４は、本発明に係る実施例におけるレンジフード２の、右斜め下から見た分解斜視図である。レンジフード２は、フード３と、フード３の内側上面中央に組み込まれたモーター４と、モーター４に接続されたファン５と、フード３内であってファン５の下方に取り付けられるフィルター６と、フード３の左側面にある排気口Ｅに取り付けられる排気口調整装置１とを備える平型レンジフードである。排気口Ｅは、フィルター６の下方にあるコンロ等から発生し、フィルター６経由でファン５が吸引した汚染空気を、排気ダクトへ排出する。
【００２７】
排気口調整装置１の受け部材２０は、レンジフード２のフード３の左側面の排気口Ｅの周辺部に、フード３の外側から当接するように取り付けられる。また、排気口調整装置１の角形排気口部材１０は、受け部材２０の突起部２２がレンジフードのフード３の左側面を介して長孔１３に嵌合し、レンジフード２のフード３の左側面の排気口Ｅの周辺部に、取り付け用雌ネジ１６が突起部２２の軸先から挿入され締められることにより、フード３の内側から、取り付けられる。これにより、受け部材２０と角形排気口部材１０とがレンジフード側面の部材を両側から挟み込むことにより、レンジフード２の側面に受け部材２０と角形排気口部材１０を、即ち、排気口調整装置１を確実に取り付けることができる。
【００２８】
排気口調整装置１のレンジフード２への具体的な取り付け方は、以下のとおりである。まず、受け部材２０をフード３に設けられた排気口Ｅに取り付ける。より具体的には、フード３には排気口Ｅの周辺に突起部２２と対応した孔が設けられており、その孔に突起部２２をフード３の外側から挿入することにより、受け部材２０の位置決めするとともに、受け部材２０をフード側面に当接させる。なお、排気口Ｅの周辺であって、受け部材２０が当接する部分は、受け部材２０の厚さ分フード３の内側に凹んでいることが好ましい。これにより、受け部材２０が壁に接する正面側の面と、フード３が壁に接する側面とを一致させることができる。
【００２９】
受け部材２０をフード３に当接させた状態で、折曲部２４をフード内側に突出させた後さらに折り曲げ、排気口Ｅの周辺部を挟み込むようにする。こうすることにより、受け部材２０をフード３に当接させた状態で仮留めされる。そして、この仮留め状態で、レンジフード２を所定の場所に設置する。受け部材２０の壁に接する面およびフード３が壁に接する側面には一切凸部は存在しないので、容易にレンジフード２を設置することができる。
【００３０】
レンジフード２を所定の場所に設置したこの状態では、受け部材２０の開口部２１を通して、排気ダクトの一部または全部を見ることができる。排気ダクトの縦内径は、通常、開口部２１の縦内径ＨＩより小さいので、開口部２１を通して、排気ダクトの上または下に壁が見える。
【００３１】
レンジフード２を所定の場所に設置した後、角形排気口部材１０の角形排気筒１１を受け部材２０の開口部２１に挿入し、かつ、角形排気口部材１０の長孔１３に受け部材２０の突起部２２が挿入されるように、角形排気口部材１０を受け部材２０に取り付ける。開口部２１を通して、排気ダクトの上または下に壁が見えている場合には、壁を避けるように、角形排気口部材１０を上下に適宜スライドさせて、上下方向の位置を調整する。
【００３２】
角形排気口部材１０の上下方向の位置を調整し終わったら、取り付け用雌ネジ１６を突起部２２の軸先から挿入し、取り付け用雌ネジ１６を締める。この取り付け用雌ネジ１６を強固に締め付けることにより、受け部材２０と角形排気口部材１０が一体となり排気口調整装置１を形成し、排気口調整装置１がフード３に本留めされ完全に取り付けられる。
【００３３】
なお、受け部材は、フード３の側面の内側から当接するように取り付けられてもよい。この場合、受け部材の折曲部は、正面側に折り曲げられ、フード３の側面を挟み込むとともに、受け部材の正面側に接着剤等を塗布し、フード３の排気口Ｅの周辺部に受け部材が取り付けられる。
【００３４】
また、本実施例では、排気口調整装置１は、排気口Ｅがレンジフード２の左の側面に備えられているので、左の側面に取り付けられるが、これに限定されず、排気口Ｅの位置に応じて、レンジフードの右側面や後方（奥の方）の側面に取り付けられてもよい。
また、受け部材２０および／または角形排気口部材１０のフード３の側面に当接する面には、シーリングのためにウレタンフォーム等のクッション材を備えてもよい。
【００３５】
図５は、本発明に係る実施例におけるレンジフード２の、左斜め下から見た斜視図である。レンジフード２は、フード３の左側面に受け部材２０と角形排気口部材１０を含むレンジフードの排気口調整装置１を備える。本図に示すように、排気口調整装置１をフード３に取り付けた状態では、角形排気口部材１０の角形排気筒１１は、フード３の側面から突出している。従って、レンジフード２がキッチンなどの所定の位置に設置された後に、本図に示す排気口調整装置１がフード３に取り付けられた状態となる。
【００３６】
図６は、レンジフードの取付状況を示す説明図である。図６（Ａ）は、レンジフードの交換前の状況を示すものである。壁Ｗに接してコンロＣが設置され、コンロＣの上方に交換前のレンジフード２Ａが、壁ＷとキッチンキャビネットＫの間に挟まれて設置されている。排気ダクトＤは、壁Ｗを貫通し、コンロＣからの汚染空気を屋外に排出する。レンジフード２Ａの角形排気筒１１Ａは、排気ダクトＤに適合している。
【００３７】
図６（Ｂ）は、レンジフード２Ａを取り外した後、同じ場所に新しいレンジフード２Ｂを取り付けようとしている状態を示し、レンジフードの側面に排気口を突出させた状態では取り付けが不可能であることを示すものである。レンジフード２Ｂは、レンジフード２Ｂを取り付ける前から、排気ダクトＤに嵌める角形排気筒１１Ｂがフードの側面から突出しているものである。すると、レンジフード２Ｂを取り付ける際、レンジフード２Ｂの横幅が壁ＷとキッチンキャビネットＫの間の幅と等しいので、角形排気筒１１Ｂが邪魔となって取り付けることはできない。
【００３８】
図６（Ｃ）は、交換後のレンジフードの排気口と排気ダクトの高さが適合しない場合を示すものである。このレンジフード２Ｃは、本実施例のレンジフード２とは異なり、角形排気筒に相当するフードから突出する部材（１１Ｃ）の位置が固定されているものである。この場合、レンジフード２Ｃを取り付けるためには、排気口から突出する部材（１１Ｃ）が排気ダクトＤに適合しないので、排気ダクトの位置を変える等の工事が必要となる。
【００３９】
図６（Ｄ）は、交換後のレンジフードの排気口と排気ダクトの高さが適合した場合を示すものである。このレンジフード２は、本願発明に係るものであり、角形排気口部材１０の角形排気筒１１は、レンジフード２が取り付けられる際には、取り付けられていないのでフードから突出していることがないため容易に取り付けることができ、また、排気ダクトの位置に合わせて調整できるので、排気ダクトの位置を変える等の工事は不要となる。
【００４０】
従って、本願に係るレンジフード２では、レンジフード２を取り付ける際、レンジフード２の排気口と排気ダクトとの位置の調整を容易に行うことができ、また、住宅側の排気ダクト位置の変更や、キッチンの壁・天井の張り替えが不要となり、さらには、キッチンキャビネットと壁に挟まれた古いレンジフードを交換する場合で、レンジフードの右側面または左側面に排気ダクトが位置している場合でも、容易に取り付けることのできるレンジフードを提供することができる。
【００４１】
なお、本発明は、例示した実施例に限定するものではなく、特許請求の範囲の各項に記載された内容から逸脱しない範囲の構成による実施が可能である。
【符号の説明】
【００４２】
１      排気口調整装置
２      レンジフード
３      フード
４      モーター
５      ファン
６      フィルター
Ｄ      排気ダクト
Ｅ      排気口
Ｋ      キッチンキャビネット
Ｃ      調理台
Ｗ      壁
１０    角形排気口部材
１１    角形排気筒
１２    フランジ部
１３    長孔
１４    上辺部
１５    下辺部
１６    取り付け用雌ネジ
ＨＥ    縦外径
ＷＥ    横外径
２０    受け部材
２１    開口部
２２    突起部（取り付け用雄ネジ）
２３    平板
２４    折曲部
ＨＩ    縦内径
ＷＩ    横内径
【図１】
0005855872.tif 000002
【図２】
0005855872.tif 000003
【図３】
0005855872.tif 000004
【図４】
0005855872.tif 000005
【図５】
0005855872.tif 000006
【図６】
0005855872.tif 000007